(57)【要約】【課題】空気調和装置の筐体に取り付けられる無線通信アダプタへの振動の伝達を抑制することができる通信装置を提供する。【解決手段】空気調和装置１０の筐体１１ａに取り付けられる通信装置であって、空気調和装置１０のネットワーク通信部としての機能を有する無線通信アダプタ２１と、筐体１１ａと前記無線通信アダプタ２１との間に介在し、両者の間に間隔を形成する台座２８と、を備えている。【選択図】      図１
2020026897.tif 000002
【特許請求の範囲】
【請求項１】
空気調和装置（１０）の筐体（１１ａ）に取り付けられる通信装置であって、
前記空気調和装置（１０）のネットワーク通信部としての機能を有する無線通信アダプタ（２１）と、
前記筐体（１１ａ）と前記無線通信アダプタ（２１）との間に介在し、両者の間に間隔を形成する台座（２８）と、を備えている、通信装置。
【請求項２】
前記台座（２８）が、ゴム製又は樹脂製の弾性変形可能な部材により形成される、請求項１に記載の通信装置。
【請求項３】
前記台座（２８）が、発泡素材により形成される、請求項１又は２に記載の通信装置。
【請求項４】
前記台座（２８）の一部（２８ａ）が、ゴム製又は樹脂製の弾性変形可能な部材により形成されている、請求項１に記載の通信装置。
【請求項５】
前記台座（２８）が、前記筐体（１１ａ）に対向する前記無線通信アダプタ（２１）の背面板（２２ｂ）の半分以上の面積にわたる領域に配置される、請求項１〜４のいずれか１項に記載の通信装置。
【請求項６】
前記台座（２８）が、前記筐体（１１ａ）との間に設けられる粘着性を有する部材によって前記筐体（１１ａ）に固定される、請求項１〜５のいずれか１項に記載の通信装置。
【請求項７】
前記無線通信アダプタ（２１）を取り外し可能に装着するホルダ（２４）をさらに備え、
前記台座（２８）が、前記ホルダ（２４）と前記筐体（１１ａ）との間に配置される、請求項１〜６のいずれか１項に記載の通信装置。
【請求項８】
筐体（１１ａ）と、
前記筐体（１１ａ）に取り付けられた請求項１〜７のいずれか１項に記載の通信装置（２０）と、を備えている空気調和装置。
【発明の詳細な説明】
【技術分野】
【０００１】
本開示は、通信装置及び空気調和装置に関する。
【背景技術】
【０００２】
従来、複数の冷凍装置を遠隔の監視装置で集中監視することによって、冷凍装置の管理にかかる労力を軽減し、省力化を図る運転監視システムが知られている（例えば、特許文献１参照）。
この運転監視システムは、冷凍装置に接続された無線ＬＡＮ装置と、監視装置のデータ収集サーバに接続された無線ＬＡＮ装置とを備え、冷凍装置の装置情報、運転情報、異常情報等が無線ＬＡＮ装置を介してデータ収集サーバに送信され、データ集中サーバにおいて蓄積される。
【先行技術文献】
【特許文献】
【０００３】
【特許文献１】特開２００４−２９７４６１号公報
【発明の概要】
【発明が解決しようとする課題】
【０００４】
室内の温度等を調整する空気調和装置に遠隔監視システムを適用する場合、当該空気調和装置に上記のような無線ＬＡＮ装置を構成する無線ＬＡＮアダプタを接続し、この無線ＬＡＮアダプタを空気調和装置の筐体に設置することが考えられる。しかし、空気調和装置の内部には、ファン等の振動発生源が内蔵されているため、筐体の振動が無線ＬＡＮアダプタに伝わり、振動音が発生する可能性がある。
【０００５】
本開示は、空気調和装置の筐体に取り付けられる無線ＬＡＮアダプタ等の無線通信アダプタへの振動の伝達を抑制することができる通信装置及び空気調和装置を提供する。
【課題を解決するための手段】
【０００６】
（１）本開示は、空気調和装置の筐体に取り付けられる通信装置であって、
前記空気調和装置のネットワーク通信部としての機能を有する無線通信アダプタと、
前記筐体と前記無線通信アダプタとの間に介在し、両者の間に間隔を形成する台座と、を備えている。
【０００７】
本開示の通信装置は、台座により形成される間隔によって空気調和装置で発生する振動が筐体から無線通信アダプタに伝達されるのを抑制することができる。
【０００８】
（２）前記（１）の通信装置において、好ましくは、前記台座が、ゴム製又は樹脂製の弾性変形可能な部材により形成される。
この場合、台座の弾性によって振動を吸収することができるので、無線通信アダプタへの振動の伝達をより抑制することができる。
【０００９】
（３）前記（１）又は（２）の通信装置において、好ましくは、前記台座が、発泡素材により形成される。
このような構成によって、台座の断熱性が高まり、空気調和装置の筐体から無線通信アダプタへの熱伝達を抑制することができる。そのため、通信アダプタが空気調和装置で冷却されることによる結露の発生等を抑制することができる。
【００１０】
（４）前記（１）の通信装置において、前記台座の一部が、ゴム製又は樹脂製の弾性変形可能な部材により形成されていてもよい。
この場合も、台座の弾性によって振動を吸収することができるので、無線通信アダプタへの振動の伝達をより抑制することができる。
【００１１】
（５）前記（１）〜（４）のいずれか１つの通信装置において、好ましくは、前記台座が、前記筐体に対向する前記無線通信アダプタの背面板の半分以上の面積にわたる領域に配置される。
このような構成によって、無線通信アダプタの背面板の広い領域で振動の伝達等を抑制することができる。
【００１２】
（６）前記（１）〜（５）のいずれか１つの通信装置において、好ましくは、前記台座が、前記筐体との間に設けられる粘着性を有する部材によって前記筐体に固定される。
これにより、少ない部品点数により簡単な構造で無線通信アダプタを筐体に固定することができ、筐体の振動による無線通信アダプタの脱離等を抑制することができる。
【００１３】
（７）前記（１）〜（６）のいずれか１つの通信装置において、好ましくは、通信装置が、前記無線通信アダプタを取り外し可能に装着するホルダをさらに備え、
前記台座が、前記ホルダと前記筐体との間に配置される。
このような構成によって、ホルダに無線通信アダプタを装着した状態で、台座によって筐体と無線通信アダプタとの間に間隔を設けることができる。また、必要に応じて、無線通信アダプタをホルダから取り外すことができる。
【００１４】
（８）本開示の空気調和装置は、
筐体と、
前記筐体に取り付けられた前記（１）〜（７）のいずれか１つの通信装置と、を備えている。
【図面の簡単な説明】
【００１５】
【図１】第１の実施形態に係る通信装置を備えた空気調和装置を示す側面図である。
【図２】空気調和装置に取り付けられた通信装置を示す側面図である。
【図３】通信装置を示す斜視図である。
【図４】通信装置を示す斜視図である。
【図５】第２の実施形態に係る通信装置を示す側面図である。
【図６】台座の配置を示す説明図である。
【図７】第３の実施形態に係る通信装置を示す側面図である。
【発明を実施するための形態】
【００１６】
［第１の実施形態］
図１は、第１の実施形態に係る通信装置を備えた空気調和装置を示す側面図である。
図１に示す空気調和装置１０は、空調対象である室内に配置される室内機１１と、室外に配置される室外機とを有するセパレートタイプの空気調和装置である。図１は、空気調和装置１０の室内機１１のみを示している。
【００１７】
室内機１１は、室内の天井５０に吊り下げ具５１を介して据え付けられている。室内機１１は、筐体１１ａの内部に、室内の空気との間で熱交換を行う熱交換器や、室内の空気を筐体１１ａ内に取り入れて熱交換器に供給した後、再び室内に吹き出す室内ファン等を備えている。
【００１８】
本実施形態の室内機１１には、通信ネットワークに室内機１１を接続させる通信装置２０が設けられている。具体的に、通信装置２０は、室内機１１のネットワーク通信部として機能する無線ＬＡＮアダプタ２１を有しており、室内機１１は、無線ＬＡＮアダプタ２１によって室内に構築された無線ＬＡＮに接続される。無線ＬＡＮアダプタ２１は、図示しない通信線によって室内機１１の制御基板に接続され、室内機１１の筐体１１ａ（図示例では筐体１１ａの上面）に取り付けられている。無線ＬＡＮアダプタ２１は、本開示における無線通信アダプタの一態様である。
【００１９】
図２は、空気調和装置に取り付けられた通信装置を示す側面図である。図３及び図４は、通信装置を示す斜視図である。
無線ＬＡＮアダプタ２１は、略直方体形状に形成されたケーシング２２と、ケーシング２２に内蔵された通信モジュール（図示省略）とを備えている。ケーシング２２は、長方形状の板材からなる表面板２２ａ及び背面板２２ｂと、表面板２２ａ及び背面板２２ｂの外周部に設けられる側面板２２ｃ，２２ｄとを有する。
【００２０】
ケーシング２２の表面板２２ａには、無線ＬＡＮアダプタ２１の設定操作等を行うための操作ボタン２２ａ１や、無線ＬＡＮアダプタ２１のオンオフ状態や無線ＬＡＮへの接続状態を示すランプ２２ａ２等が設けられている。ケーシング２２の互いに対向する一対の側面板２２ｃには、次に説明するホルダ２４が連結される連結溝２２ｃ１が形成されている。連結溝２２ｃ１は、側面板２２ｃの長手方向の一端部において開放し、中途部において閉じている。
【００２１】
通信装置２０は、無線ＬＡＮアダプタ２１の他、ホルダ２４を有している。ホルダ２４は、無線ＬＡＮアダプタ２１を取り外し可能に装着し、無線ＬＡＮアダプタ２１を保持するものである。ホルダ２４は、ベース板２５と支持板２６ａ，２６ｂとを有する。ベース板２５は、ケーシング２２の背面板２２ｂと略同じ大きさの長方形状の板材からなり、背面板２２ｂの背面側に配置される。支持板２６ａ，２６ｂは、ベース板２５の３つの辺からケーシング２２の表面側へ向けて突出し、ケーシング２２の側面板２２ｃ，２２ｄの外側に配置される。
【００２２】
３つの支持板２６ａ，２６ｂのうち、互いに対向する一対の支持板２６ａには、ケーシング２２の連結溝２２ｃ１に挿入される爪部２６ａ１が設けられている。ケーシング２２は、ホルダ２４の爪部２６ａ１を連結溝２２ｃ１の開放端から挿入することによってホルダ２４に保持される。逆に、ホルダ２４の爪部２６ａ１を連結溝２２ｃ１の開放端から抜くことによってケーシング２２をホルダ２４から取り外すことができる。
【００２３】
通信装置２０は、無線ＬＡＮアダプタ２１及びホルダ２４の他、台座２８を備えている。この台座２８は、室内機１１の筐体１１ａと、無線ＬＡＮアダプタ２１との間に介在し、筐体１１ａと無線ＬＡＮアダプタ２１との間に間隔を形成する。本実施形態では、無線ＬＡＮアダプタ２１がホルダ２４に保持されるので、実質的に台座２８は、筐体１１ａとホルダ２４との間に間隔ｔを形成する。
【００２４】
本実施形態の台座２８は、ゴム製又は樹脂製の弾性変形可能な部材により形成される。好ましくは、台座２８は、ゴム製又は樹脂製の発泡素材により形成され、より好ましくは、独立気泡を有する発泡素材により形成される。例えば、台座２８は、発泡ポリエチレンやポリウレタンフォーム等の弾性変形可能な発泡素材により形成することができる。
【００２５】
図２及び図４に示すように、台座２８は、長方形状の板材よりなり、ホルダ２４のベース板２５の背面に取り付けられる。台座２８は、例えば約５ｍｍの厚さを有する。本実施形態の台座２８は、ホルダ２４のベース板２５の背面に例えば両面テープ２９によって貼り付けられる。
【００２６】
台座２８は、ホルダ２４のベース板２５の面積、より具体的には、ベース板２５の面積の大部分を占める面積を有している。したがって、ホルダ２４のベース板２５に取り付けられた台座２８は、ホルダ２４のベース板２５の面積の大部分を占める領域に配置される。また、ベース板２５は、無線ＬＡＮアダプタ２１の背面板２２ｂと略同一の大きさに形成され、背面板２２ｂに重ねられるので、台座２８は、背面板２２ｂの大部分を占める領域に配置されることにもなる。また、台座２８は、粘着性を有する部材、具体的には両面テープや接着剤によって室内機１１の筐体１１ａに固定される。
【００２７】
室内機１１の筐体１１ａ内には、室内ファン等の振動発生源が内蔵されているため、室内ファンの運転によって筐体１１ａが振動し、その振動がホルダ２４や無線ＬＡＮアダプタ２１にも伝達される可能性がある。本実施形態では、無線ＬＡＮアダプタ２１及びホルダ２４が、台座２８を介して筐体１１ａに取り付けられており、この台座２８によって筐体１１ａと無線ＬＡＮアダプタ２１及びホルダ２４との間に間隔が形成されているので、筐体１１ａの振動が無線ＬＡＮアダプタ２１及びホルダ２４に伝達され難くなっている。そのため、当該振動が無線ＬＡＮアダプタ２１及びホルダ２４に伝達されることによる騒音等の発生を抑制することができる。
【００２８】
また、無線ＬＡＮアダプタ２１が筐体１１ａに接近していると、無線ＬＡＮアダプタ２１から筐体１１ａ側へ発せられる電波が筐体１１ａによって遮られる可能性があるが、本実施形態では、台座２８によって筐体１１ａと無線ＬＡＮアダプタ２１との間に間隔があけられるので、無線ＬＡＮアダプタ２１から筐体１１ａ側へ発せられる電波の通路が確保され、通信性能を向上させることができる。
【００２９】
また、本実施形態の台座２８は、ゴム製又は樹脂製の弾性変形可能な部材により形成されているので、筐体１１ａの振動が台座２８によって吸収され、より無線ＬＡＮアダプタ２１及びホルダ２４に伝達され難くなっている。
【００３０】
さらに、台座２８は、発泡素材で形成されているので、断熱性をも有しており、筐体１１ａから無線ＬＡＮアダプタ２１への熱伝達も抑制される。そのため、無線ＬＡＮアダプタ２１が筐体１１ａから伝達される熱によって冷却され難くなり、無線ＬＡＮアダプタ２１における結露の発生等を抑制することができる。
【００３１】
また、台座２８は、ホルダ２４のベース板２５及び無線ＬＡＮアダプタ２１の背面板２２ｂの半分以上の面積にわたる領域に配置されるので、筐体１１ａから無線ＬＡＮアダプタ２１への振動の伝達を広い領域で抑制することができる。
【００３２】
なお、本実施形態の台座２８は、前述したように厚さが約５ｍｍとされているが、より好ましくは、厚さが５ｍｍ以上とされる。台座２８の厚さを５ｍｍ以上とすることによって、上述したような筐体１１ａからの振動伝達の抑制、熱伝達の抑制、及び通信性能の向上の効果を十分に発揮することができる。
【００３３】
通信装置２０は、無線ＬＡＮアダプタ２１を取り外し可能に保持するホルダ２４を備えており、このホルダ２４と筐体１１ａとの間に台座２８が配置されるので、ホルダ２４に無線ＬＡＮアダプタ２１を装着した状態で、台座２８によって筐体１１ａと無線ＬＡＮアダプタ２１との間に間隔を設けることができる。また、必要に応じて、無線ＬＡＮアダプタ２１をホルダから取り外すことができるので、無線ＬＡＮアダプタ２１のボタン２１ａ１の操作やランプ２１ａ２の確認、ケーシング２２に記載されたＩＤ情報やパスワード情報等の確認等を容易に行うことができる。
【００３４】
［第２の実施形態］
図５は、第２の実施形態に係る通信装置を示す側面図である。
本実施形態の通信装置２０は、台座２８の形態が第１の実施形態とは異なっている。具体的に、台座２８は、ホルダ２４のベース板２５の複数箇所に分散して設けられている。
【００３５】
図６は、台座２８の配置を示す説明図であり、図６（ａ）に示す例では、台座２８は、ホルダ２４のベース板２５の４隅に分散して設けられ、図６（ｂ）に示す例では、台座２８が、ホルダ２４のベース板２５の対向する２辺に沿って２箇所に分散して設けられている。
【００３６】
いずれの例においても、筐体１１ａとホルダ２４及び無線ＬＡＮアダプタ２１との間には間隔が形成され、筐体１１ａからの振動の伝達が抑制される。
なお、本実施形態の台座２８は、第１の実施形態と同様に、ゴム製又は樹脂製の弾性変形可能な部材によって形成することもできるが、金属や硬質樹脂等の硬質な素材によって形成することもできる。
【００３７】
［第３の実施形態］
図７は、第３の実施形態に係る通信装置を示す側面図である。
本実施形態は、台座２８の一部２８ａがゴム製又は樹脂製の弾性変形可能な部材により形成され、台座２８の他の部分２８ｂが金属等の硬質な部材により形成されたものである。具体的に、筐体１１ａに接触する部分２８ａがゴム製又は樹脂製の弾性変形可能な部材により形成され、ホルダ２４に接触する他の部分２８ｂが金属等の硬質な部材により形成されている。つまり、台座２８がゴム等の軟質な層と金属等の硬質な層との複数層に形成されている。本実施形態においても、筐体１１ａの振動を台座２８の一部２８ａにおいて吸収することができるので、ホルダ２４及び無線ＬＡＮアダプタ２１への振動の伝達を抑制し、騒音等の発生を抑制することができる。
【００３８】
なお、本実施形態では、上記とは逆に、筐体１１ａに接触する一部２８ａが硬質な部材により形成され、ホルダ２４に接触する他の部分２８ｂが弾性変形可能な部材により形成されてもよい。また、筐体１１ａ及びホルダ２４に接触する各部分が弾性変形可能な部材により形成され、その間の部分が硬質な部材により形成されていてもよく、その逆であってもよい。
【００３９】
［その他の変形例］
本開示は前述した実施形態に限定されるものではなく、特許請求の範囲内において種々の変更が可能である。
例えば、上記実施形態において無線ＬＡＮアダプタで例示した無線通信アダプタ２１は、天井配置型の室内機１１に限らず、壁掛型、床置き型、天井埋込型等の室内機１１に取り付けられてもよい。
【００４０】
また、無線通信アダプタ２１は、無線ＬＡＮに接続するものに限らず、例えば３Ｇ回線やＬＴＥ回線等によって外部の通信ネットワークに接続するものであってもよい。
無線通信アダプタ２１は、空気調和装置１０の室外機の筐体に取り付けられるものであってもよい。室外機の筐体内にも室外ファン等の振動発生源が内蔵されているため、本開示の台座２８を用いることが効果的である。また、無線通信アダプタ２１は、室外機と室内機とが一体となった空気調和装置１０の筐体に取り付けられるものであってもよい。
【００４１】
台座２８は、予めその両面に接着剤が塗布されていて、この接着剤によってホルダ２４及び筐体１１ａに固定されるように構成されていてもよい。
【符号の説明】
【００４２】
１０      ：空気調和装置
１１      ：室内機
１１ａ    ：筐体
２０      ：通信装置
２１      ：無線ＬＡＮアダプタ（無線通信アダプタ）
２２ｂ    ：ケーシングの背面板
２４      ：ホルダ
２８      ：台座
２８ａ    ：台座の一部
【図１】
2020026897.tif 000003
【図２】
2020026897.tif 000004
【図３】
2020026897.tif 000005
【図４】
2020026897.tif 000006
【図５】
2020026897.tif 000007
【図６】
2020026897.tif 000008
【図７】
2020026897.tif 000009
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
空気調和装置（１０）の筐体（１１ａ）に取り付けられる通信装置であって、
前記空気調和装置（１０）のネットワーク通信部としての機能を有する無線通信アダプタ（２１）と、
前記筐体（１１ａ）と前記無線通信アダプタ（２１）との間に介在し、両者の間に間隔を形成する台座（２８）と、を備えている、通信装置。
【請求項２】
前記台座（２８）が、ゴム製又は樹脂製の弾性変形可能な部材により形成される、請求項１に記載の通信装置。
【請求項３】
前記台座（２８）が、発泡素材により形成される、請求項１又は２に記載の通信装置。
【請求項４】
前記台座（２８）の一部（２８ａ）が、ゴム製又は樹脂製の弾性変形可能な部材により形成されている、請求項１に記載の通信装置。
【請求項５】
前記台座（２８）が、前記筐体（１１ａ）に対向する前記無線通信アダプタ（２１）の背面板（２２ｂ）の半分以上の面積にわたる領域に配置される、請求項１〜４のいずれか１項に記載の通信装置。
【請求項６】
前記台座（２８）が、前記筐体（１１ａ）との間に設けられる粘着性を有する部材によって前記筐体（１１ａ）に固定される、請求項１〜５のいずれか１項に記載の通信装置。
【請求項７】
前記無線通信アダプタ（２１）を取り外し可能に装着するホルダ（２４）をさらに備え、
前記台座（２８）が、前記ホルダ（２４）と前記筐体（１１ａ）との間に配置される、請求項１〜６のいずれか１項に記載の通信装置。
【請求項８】
筐体（１１ａ）と、
前記筐体（１１ａ）に取り付けられた請求項１〜７のいずれか１項に記載の通信装置（２０）と、を備えている空気調和装置。
【請求項９】
前記筐体（１１ａ）が、室内の天井に吊り下げた状態で据え付けられ、
前記通信装置（２０）が、前記筐体（１１ａ）の上面に取り付けられている、請求項８に記載の空気調和装置。
【手続補正２】
【補正対象書類名】明細書
【補正対象項目名】００１４
【補正方法】変更
【補正の内容】
【００１４】
（８）本開示の空気調和装置は、
筐体と、
前記筐体に取り付けられた前記（１）〜（７）のいずれか１つの通信装置と、を備えている。
（９）前記（８）の空気調和装置において、好ましくは、前記筐体が、室内の天井に吊り下げた状態で据え付けられ、
前記通信装置が、前記筐体の上面に取り付けられている。
【手続補正３】
【補正対象書類名】明細書
【補正対象項目名】００３３
【補正方法】変更
【補正の内容】
【００３３】
通信装置２０は、無線ＬＡＮアダプタ２１を取り外し可能に保持するホルダ２４を備えており、このホルダ２４と筐体１１ａとの間に台座２８が配置されるので、ホルダ２４に無線ＬＡＮアダプタ２１を装着した状態で、台座２８によって筐体１１ａと無線ＬＡＮアダプタ２１との間に間隔を設けることができる。また、必要に応じて、無線ＬＡＮアダプタ２１をホルダ２４から取り外すことができるので、無線ＬＡＮアダプタ２１のボタン２２ａ１の操作やランプ２２ａ２の確認、ケーシング２２に記載されたＩＤ情報やパスワード情報等の確認等を容易に行うことができる。